(57)【特許請求の範囲】
【請求項１】
ガスボンベのバルブノズルをガス器具側に設けられた受け口と磁気により接続した状態で保持する磁気保持ヨークを製造するに当たり、冷延鋼板をプレス成形により粗成形した後、さらにガスボンベのフランジ面と磁気により吸着する磁石収容溝縁を面押しすることにより、磁石収容溝縁のうねり高さを０．３４ｍｍ以下に調整することを特徴とする磁気保持ヨークの製造方法。
【発明の詳細な説明】
【０００１】
【発明の属する技術分野】
本発明はカセットコンロなどのガスボンベを使用するガス器具に用いられるガスボンベを磁気により吸着保持する磁気保持ヨーク、その製造方法及びそれを利用したカセットガス器具、特にカセットガスコンロに関する。
【０００２】
【従来の技術】
カセットガスこんろなどのガス器具においては、ガスボンベのバルブノズルをガス器具側に設けられた受け口と接続・保持するための機構として、ガスボンベの後端を接続口方向へ加圧するレバー操作式の着脱機構を有するものと、ガス器具に環状の磁石収容部を設け、ここに収容された磁石を、磁気保持ヨークを介して、ガスボンベのフランジと対向させて磁力により吸着・保持させる機構を有するもの（たとえば実公平4-38168号公報参照）とがある。
【０００３】
後者の磁気吸着・保持方式は、前者のレバー操作式に比べて機構が簡単であり、ボンベの着脱操作も容易にできるという利点があるが、磁気による吸着・保持を確実にする必要がある。そのため、たとえば、特公平4-78887号公報には、取り付け軸に多少の誤差が生じた場合においても、前記ヨークとガスボンベのフランジとが全周において接触し均等な磁気吸着力が得られるようにするためヨークをガス器具側にゆるく接続することが提案されている。
【０００４】
【発明が解決しようとする課題】
しかしながら、上記提案によっても器具側に設けたヨークとガスボンベのフランジが全周に亘って隙間なく接触する状態が得られず、そのため極めて強力な磁気吸着力を得ることができない場合がときとしてあった。本発明は、このようなガスボンベの磁気吸着・保持方式の問題点を解決し、従来に比べて常に高い磁気吸着力が得られる磁気保持ヨークを提案することを目的とする。本発明は、併せて、この新たな磁気保持ヨークの製造方法を提案し、さらにこれを利用したカセットガス器具、特にカセットガスこんろを提案するものである。
【０００５】
【課題を解決するための手段】
本発明者は、カセットガス器具の器具側に設けたヨークとガスボンベ側のフランジとの十分な接触を妨げる要素について調査・検討し、ヨークのフランジ接触面にあるうねりが影響していることを知り、その磁気吸着力との関係を明らかにして本発明を完成するに至った。
【０００６】
すなわち、本発明のガスボンベの磁気保持ヨークは、ガスボンベのフランジ面と磁気により吸着する磁石収容溝縁のうねり高さを0.34mm以下としてなるものである。上記磁気保持ヨークは、素材鋼板をプレス成形により粗成形した後、さらにガスボンベのフランジ面と磁気により吸着する面を面押しすることにより、磁石収容溝縁のうねり高さを0.34mm以下に調整することによって製造することができる。また、上記うねり高さを有する磁気保持ヨークをカセット器具に使用することにより、その安全性をより高めることができる。
【０００７】
【発明の実施の形態】
図１は、本発明の適用されるカセットガス器具のガスボンベ取り付け部の構造を示す一部破断断面図である。ここに示すように、円筒型のガスボンベ１の本体等は従来のカセットこんろ用のガスボンベと同様でよく、ガスボンベ１は先端に押し込みによって開弁し突出によって閉弁するバルブノズル２を有し、該バルブノズル２にはセット状態で気化ガス内に先端が位置するサイフォン管１１が弁部１２を介して通じており、バルブノズル２の外側には磁性材料製の環状フランジ４がボンベ１と一体に設けられている。ガス器具側のボンベ装着相手は、従来と同様ガバナー１３であり、受け口３内にスプリングによって装着された操作弁１４によって押されるとバルブノズル２が開弁するようになっている。
【０００８】
磁気保持ヨーク１５はガバナー側の受け口３の外周に取り付けられており、ガスボンベ１の方向に開いた磁石収容溝６を有し、鋼板等の強磁性材料により円筒皿状に形成されている。この磁石収容溝６の周囲を形成する磁石収容溝縁７はボンベの前記フランジ４とほぼ同一の直径を有し、これと当接するようになっており、その中心にバルブノズル２を挿通する透かし孔１０が開口している。磁石収容溝６に収められる磁石５は環状に形成され磁石収容溝縁７より突出せず、磁気保持ヨーク１５で磁気回路を作り、磁気吸引力を増すように構成されている。なお、この磁気保持ヨーク１５の上端部には、ガスボンベ１のセット状態を規定するガイド突起９がサイフォン管１１の位置を示す切り欠け８と係合するように設けられている。
【０００９】
本発明においては、上記磁気保持ヨークの磁石収容溝縁７のボンベ側フランジ４と当接する面のうねり高さを0.34mm以下となるように構成する。これにより磁気保持ヨークの磁気収容溝縁とガスボンベのフランジが全周に亘って実質的に隙間なく接触し、これらの間で形成される磁気回路において磁束の漏れを生ずることがなくなり、極めて大きな磁気吸着力が得られるようになる。
【００１０】
図２は、冷延鋼板をプレス成形により粗成形した磁気保持ヨークの磁石収容溝縁（これがガスボンベのフランジ面と磁気により吸着する）を種々の強さで面押ししたときの磁石収容溝縁７のボンベ側フランジ４と当接する面のうねり高さと磁気吸着力との関係を示すグラフである。
【００１１】
ここに示すように、ヨーク磁石収容溝縁７のボンベ側フランジ４と当接する面のうねり高さが0.34mm以下になると磁気吸着力が極大(ほぼ35N)となるのに対し、0.36mmを超えると上記吸着力より20%以上低い値しか得られなくなっている。しかも、うねり高さが0.34mm以下のときには、磁気吸着力がほぼ最大の値（この場合35N（3.5kgf））でほぼ飽和するようになる。このことは、うねり高さが0.34mm以下のときには、磁気保持ヨークの磁気収容溝縁との間で形成される磁気回路において、磁束の漏れが実質的になくなっていることを示している。したがって、本発明では、フランジ面と磁気により吸着する磁石収容溝縁のうねり高さを0.34mm以下とする。
【００１２】
なお、上記実験における磁石収容溝縁に現れるうねり高さは、図３に示すように、定盤２１上に治具２２及びダイヤルゲージ２３を据え、治具２２にセットされた磁気保持ヨーク１５の縁部２５の高さをダイヤルゲージによって測定することによって行った。なお、治具２２は、固定ガイド２６内にスラストベアリング２７を介して回転ガイド２８を取り付け、その内側に磁気保持ヨーク１５を押さえ金具２９によって嵌めこみ、磁気保持ヨーク１５を定盤２１上にセットした固定ガイド２６内で回転させることによってその縁部２５の全周（ガイド爪の部分は除く）の高さを測定できるようになっている。うねり高さは、上記装置によって測定された高さの最大高さと最低高さの差である。
【００１３】
また、磁気吸着力は、試作した磁気保持ヨーク１５をガバナーの受け口３の外周に取り付け、これにガスボンベに用いられる磁性材料製の環状フランジを吸着させ、その吸着力をプッシュプルゲージによって測定したものである。なお、ガバナーの磁石収容溝に収容される磁石は保持力200〜250ｋA/m（2.5〜3.1kOe）、内径20mm、外径35mm、厚さ5mmの永久磁石であり、環状フランジは、内径24.55mm、外径44.5mm、厚さ0.28mmの軟鉄（冷延鋼板製）である。
【００１４】
本発明者の考察によれば、通常のプレス成形で製造した磁気保持ヨークの磁石収容溝縁にこのような不都合なうねりが生ずる原因は、その素材である冷延鋼板の異方性にある。すなわち、磁気保持ヨークは、冷間圧延鋼板を打ち抜いた円板（ブランク）を浅い皿状のヨークにプレス成形すると冷間圧延鋼板は異方性を有するため円周上の角度によって伸び率が異なり、浅い絞り加工であっても溝縁の高さが一定にならず、磁気保持ヨークの磁石収容溝縁にうねりが生ずるのである。
【００１５】
このようなうねりを解消するには、たとえば面押しと呼ばれる手段を採用し、粗成形された磁気保持ヨークの磁石収容溝縁の高さを一様にすればよい。
【００１６】
【実施例】
厚さ1.0mmの冷延鋼板をプレス成形により磁気保持ヨークに粗成形した。そのときの磁石収容溝縁に現れたうねりは0.4〜0.6mmであり、これをカセットガスこんろに装着したときのマグネット吸着力は17.6Nであった。これに電気亜鉛めっきを施したのち、面押しプレスを行ったところ、上記磁石収容溝縁に現れたうねりは0.25mmに減少し、磁気吸着力も35.3Nに向上した。
【００１７】
【発明の効果】
本発明により、ガスボンベを磁気吸着・保持方式により固定するガス器具の磁気保持ヨークの磁気吸着力を極めて高い値に安定させることが可能になった。これにより、カセット式ガスこんろの使用上の安全性、信頼性がさらに高まった。
【図面の簡単な説明】
【図１】  本発明の適用されるカセットガス器具のガスボンベ取り付け部の構造を示す一部破断断面図である。
【図２】  冷延鋼板をプレス成形により粗成形した磁気保持の磁石収容溝縁を種々の強さで面押ししたときの磁石収容溝縁の最大表面粗さと磁気吸着力との関係を示すグラフである。
【図３】  磁気保持ヨークの磁石収容溝縁のうねり測定装置の断面図である。
【符号の説明】
１：ガスボンベ
２：バルブノズル
３：受け口
４：環状フランジ
５：磁石
６：収容溝
７：収容溝縁
８：切り欠け
９：ガイド突起
１０：透かし孔
１１：サイフォン管
１２：弁部
１３：ガバナー
１４：操作弁
１５：磁気保持ヨーク
２１：定盤
２２：治具
２３：ダイヤルゲージ
２５：ヨークの縁部
２６：固定ガイド
２８：回転ガイド
２７：スラストベアリング
２９：押さえ金具
【図１】
0003655274.tif 000002
【図２】
0003655274.tif 000003
【図３】
0003655274.tif 000004